(57)【要約】【課題】局所的な傷みを防止して、長持ちさせることが可能なマットレスを提供する。【解決手段】マットレス１００は、６個のマットレス片１１０ａ〜１１０ｆと、隣接するマットレス片を連結する５個の連結部１２０ａ〜１２０ｅと、両端に位置するマットレス片１１０ａとマットレス片１１０ｆとを分離可能に連結するための端部連結部１３０とを備え、使用時においては、端部連結部１３０によって、マットレス片１１０ａとマットレス片１１０ｆとを連結させて、マットレス片１１０ａ〜１１０ｆを輪状にした上で、マットレス片１１０ａ〜１１０ｆを上下に２段に重ねるように配置する。そして、定期的に、マットレス１００を回転させ、使用者の腰周辺が載るマットレス片１１０をずらす操作を行うことによって、特定のマットレス片１１０の傷みが、他のマットレス片１１０に比べて大きくなることを防止する。【選択図】図１
2013000405.tif 000002
【特許請求の範囲】
【請求項１】
偶数個のマットレス片と、
隣接するマットレス片を、裏面側に折り畳めるように連結する複数の連結部と
を備え、
前記偶数個のマットレス片の半分の上に、残りの半分が重ねられた状態で使用される
ことを特徴とするマットレス。
【請求項２】
前記複数の連結部はそれぞれ、隣接するマットレス片を、表面及び裏面の両側方向に折り畳めるように連結している
ことを特徴とする請求項１に記載のマットレス。
【請求項３】
前記複数の連結部のうち、一方の端部から数えて奇数番目のマットレス片と、偶数番目のマットレス片とを連結する連結部は、裏面側にのみ折り畳めるように構成されており、
一方の端部から数えて偶数番目のマットレス片と、奇数番目のマットレス片とを連結する連結部は、表面及び裏面の両側方向に折り畳めるように構成されている
ことを特徴とする請求項１に記載のマットレス。
【請求項４】
前記偶数個のマットレス片を輪状に連結するための端部連結部を更に備える
ことを特徴とする請求項１〜３のいずれか一項に記載のマットレス。
【請求項５】
偶数個のマットレス片と、
隣接するマットレス片を、裏面側に折り畳めるように連結する複数の連結部と、
前記偶数個のマットレス片を輪状に連結するための端部連結部と
を備え、
前記複数の連結部のうち少なくとも、一方の端部から数えて偶数番目のマットレス片と、奇数番目のマットレス片とを連結する連結部は、裏面側のみならず、表面側にも折り畳めるように構成されている
ことを特徴とするマットレス。
【請求項６】
前記端部連結部は、一対の面ファスナーで構成される
ことを特徴とする請求項４又は５に記載のマットレス。
【請求項７】
前記一対の面ファスナーは、端部に配置された前記マットレス片の裏面側に配置されている
ことを特徴とする請求項６に記載のマットレス。
【請求項８】
前記端部連結部は、一対の紐で構成される
ことを特徴とする請求項４又は５に記載のマットレス。
【請求項９】
６個のマットレス片で構成されていることを特徴とする請求項１〜８のいずれか一項に記載のマットレス。
【発明の詳細な説明】
【技術分野】
【０００１】
本発明は、折り畳み可能なマットレスに関する。
【背景技術】
【０００２】
従来、敷き布団の下やベッドの上等に敷かれて使用されるマットレスが知られている。このようなマットレスは、使用しないときには押し入れ等へ収納できるよう、折り畳み可能に構成されているものも多い。
【０００３】
ところで、このようなマットレスの上に使用者が寝た場合、通常は、その一部分、例えば、使用者の腰周辺が載る部分（腰部分）により多くの体重がかかることとなるので、腰部分が、他の部分、すなわち、頭や足等が載る部分に比べて、大きく凹むことになる。このような状態で、マットレスの使用を継続すると、腰部分の傷み（へたり）が他の部分に比べて激しくなり、最終的には、他の部分がまだ使えるにもかかわらず、腰部分のみの傷み・へたりが原因で、マットレスの買い替え等が必要となることにもなる。
【０００４】
なお、実開平３−１６４６３号公報には、略同形状で所定厚さを有する１対１組のマットレス片を３組並設するとともに各対のマットレス片は谷折りして折り畳めるように連結され、第１組と第２組の一側のマットレス片は山折りして折り畳めるように連結され、第２組と第３組の他側のマットレス片は谷折りして折り畳めるように連結されていることを特徴とする折り畳み自在なマットレスが開示されている。
【０００５】
また、特開２００１−１９７９６４号公報には、上半身側マットレス及び下半身側マットレスと、前記上半身側マットレスの厚さ方向一側と前記下半身側マットレスの厚さ方向他側をこれら両マットレスの対向端部間で互いに連結するシート状の第一の連結体と、前記上半身側マットレスの厚さ方向他側と前記下半身側マットレスの厚さ方向一側をこれら両マットレスの対向端部間で互いに連結するシート状の第二の連結体とを備えることによって、厚さ方向両側への折り畳みを可能とした折り畳みマットレスが開示されている。
【先行技術文献】
【特許文献】
【０００６】
【特許文献１】実開平３−１６４６３号公報
【特許文献２】特開２００１−１９７９６４号公報
【発明の概要】
【発明が解決しようとする課題】
【０００７】
本発明の目的は、局所的な傷みを防止して、長持ちさせることが可能なマットレスを提供することにある。
【課題を解決するための手段】
【０００８】
本発明に係るマットレスは、偶数個（例えば、６個）のマットレス片と、隣接するマットレス片を、裏面側に折り畳めるように連結する複数の連結部とを備え、前記偶数個のマットレス片の半分（例えば、３個）の上に、残りの半分（例えば、３個）が重ねられた状態で使用されることを特徴とする。
【０００９】
この場合において、前記複数の連結部はそれぞれ、隣接するマットレス片を、表面及び裏面の両側方向に折り畳めるように連結しているようにしてもよい。また、前記複数の連結部のうち、一方の端部から数えて奇数番目のマットレス片と、偶数番目のマットレス片とを連結する連結部は、裏面側にのみ折り畳めるように構成されており、一方の端部から数えて偶数番目のマットレス片と、奇数番目のマットレス片とを連結する連結部は、表面及び裏面の両側方向に折り畳めるように構成されているようにしてもよい。
【００１０】
以上の場合において、前記偶数個のマットレス片を輪状に連結するための端部連結部を更に備えるようにしてもよい。この場合、前記端部連結部は、一対の面ファスナーで構成されるようにしてもよい。更に、前記一対の面ファスナーは、端部に配置された前記マットレス片の裏面側に配置されているようにしてもよい。また、前記端部連結部は、一対の紐で構成されるようにしてもよい。
【００１１】
また、本発明に係るマットレスは、偶数個（例えば、６個）のマットレス片と、隣接するマットレス片を、裏面側に折り畳めるように連結する複数の連結部と、前記偶数個のマットレス片を輪状に連結するための端部連結部とを備え、前記複数の連結部のうち少なくとも、一方の端部から数えて偶数番目のマットレス片と、奇数番目のマットレス片とを連結する連結部は、裏面側のみならず、表面側にも折り畳めるように構成されていることを特徴とする。
【００１２】
この場合において、前記端部連結部は、一対の面ファスナーで構成されるようにしてもよい。更に、前記一対の面ファスナーは、端部に配置された前記マットレス片の裏面側に配置されているようにしてもよい。また、前記端部連結部は、一対の紐で構成されるようにしてもよい。
【発明の効果】
【００１３】
本発明によれば、痛みやすい位置にあるマットレス片を適宜入れ替えることで、局所的な傷みを防止し、マットレスを長持ちさせることが可能となる。
【図面の簡単な説明】
【００１４】
【図１】本発明によるマットレスの構成を説明するための図である。
【図２】連結部の機能を説明するための図である。
【図３】マットレスの一部を折り畳んだ状態の一例を示す図である。
【図４】マットレスの使用時の状態を示す斜視図である。
【図５】マットレスのずらし操作を説明するための図である。
【図６】マットレスの第一の折り畳み方を説明するための図である。
【図７】マットレスの第二の折り畳み方を説明するための図である。
【図８】マットレスを折り畳んだ状態を示す図である。
【図９】本発明による別のマットレスの構成を説明するための図である。
【図１０】端部連結部の別の実施形態を説明するための図である。
【発明を実施するための形態】
【００１５】
以下、本発明の実施の形態について、図面を参照しつつ詳細に説明する。
【００１６】
《第一実施形態》
図１は、本発明によるマットレスの構成を説明するための図である。同図（ａ）は平面図を示し、同図（ｂ）は、正面図を示す。
【００１７】
同図に示すように、本発明によるマットレス１００は、帯状に並べられた複数（本実施形態では、６個）のマットレス片１１０（１１０ａ〜１１０ｆ）と、隣接するマットレス片を連結する複数（本実施形態では、５個）の連結部１２０（１２０ａ〜１２０ｅ）とを備える。本発明によるマットレス１００は、更に、両端に位置するマットレス片１１０ａとマットレス片１１０ｆとを分離可能に連結するための端部連結部１３０を備える。
【００１８】
マットレス片１１０はそれぞれ、概ね平板状の同一形状を有し、マットレスとしての機能を実現するための芯材と、当該芯材を収容するカバーとから構成されている。各マットレス片１１０を構成する芯材及びカバーの材料としては、必要とされるマットレスの仕様（例えば、硬さや肌触り等）に応じて、適切なものが選択される。
【００１９】
なお、各マットレス片１１０には、後述する使用時の状態において外側を向く表面と、使用時の状態において内側を向く裏面とがある。図１（ａ）では、各マットレス片１１０の裏面が示されており、同図（ｂ）では、各マットレス片１１０の上面が裏面となり、下面（底面）が表面となる。
【００２０】
連結部１２０はそれぞれ、隣接するマットレス片１１０を連結するものである。すなわち、連結部１２０ａは、マットレス片１１０ａとマットレス片１１０ｂとを連結し、連結部１２０ｂは、マットレス片１１０ｂとマットレス片１１０ｃとを連結し、連結部１２０ｃは、マットレス片１１０ｃとマットレス片１１０ｄとを連結し、連結部１２０ｄは、マットレス片１１０ｄとマットレス片１１０ｅとを連結し、連結部１２０ｅは、マットレス片１１０ｅとマットレス片１１０ｆとを連結する。本実施形態においては、各連結部１２０は、３つの連結片１２１，１２２，１２３で構成されている。
【００２１】
各連結片１２１，１２２，１２３は、帯状の部材であって、例えば、布で構成される。各連結片１２１，１２２，１２３は、一方の端部が、連結対象となる一方のマットレス片１１０の一方の面（例えば、表面）に固定（例えば、縫着）され、他方の端部が、連結対象となる他方のマットレス片１１０の他方の面（例えば、裏面）に固定（例えば、縫着）される。各連結片１２１，１２２，１２３が隣接するマットレス片１１０を連結する具体的な態様としては２つのタイプがある。すなわち、３つの連結片１２１，１２２，１２３のうち、第１のタイプに属する連結片１２１及び１２３については、隣接するマットレス片１１０の一方（例えば、マットレス片１１０ａ）の裏面（同図（ｂ）における上面）に固定される一方で、隣接するマットレス片１１０の他方（例えば、マットレス片１１０ｂ）の表面（同図（ｂ）における下面）に固定される。また、第２のタイプに属する連結片１２２については、隣接するマットレス片１１０の一方（例えば、マットレス片１１０ａ）の表面（同図（ｂ）における下面）に固定される一方で、隣接するマットレス片１１０の他方（例えば、マットレス片１１０ｂ）の裏面（同図（ｂ）における上面）に固定される。このように、隣接するマットレス片１１０を、側面視において交差するように配置される２つのタイプの連結片１２１，１２２，１２３で連結することにより、一方のマットレス片１１０に対して、他方のマットレス片１１０を３６０°回転させることが可能となる。すなわち、隣接するマットレス片１１０の表面（同図（ｂ）における下面）同士が当接するように表面側に折り畳むことができると共に、隣接するマットレス片１１０の裏面（同図（ｂ）における上面）同士が当接するように裏面側に折り畳むことができるようになる。
【００２２】
図２は、連結部１２０の機能を説明するための図である。同図（ａ）は、隣接するマットレス片１１０ｍ，１１０ｎが同一平面上にある状態を示し、同図（ｂ）は、同図（ａ）に示した状態から、一方のマットレス片１１０ｍを、一方の面側（同図における上面側）に回動させた状態を示し、同図（ｃ）は、同図（ａ）に示した状態から、一方のマットレス片１１０ｍを他方の面側（同図における下面側）に回動させた状態を示している。
【００２３】
同図に示すように、連結部１２０を構成する連結片１２１，１２２，１２３で連結された隣接するマットレス片１１０ｍ，１１０ｎは、一方のマットレス片１１０ｍを、他方のマットレス片１１０ｎに対して、上面側に回動させる際は、隣接するマットレス片１１０ｍ，１１０ｎの対向する面１１１ｍ，１１１ｎの上縁を中心に回動し、下面側に回動させる際は、隣接するマットレス片１１０ｍ，１１０ｎの対向する面１１１ｍ，１１１ｎの下縁を中心に回動することになる。その結果、隣接するマットレス片１１０ｍ，１１０ｎは、上面同士が当接するように折り畳むこともできるし、下面同士が当接するように折り畳むこともできるようになっている。
【００２４】
なお、本実施形態においては、第１のタイプの連結片（すなわち、連結片１２１及び１２３）を２つ設け、第２のタイプの連結片（すなわち、連結片１２２）を１つ設けるようにしているが、各タイプの連結片の数は、製品仕様に応じて、適当の数を選択することができる。
【００２５】
端部連結部１３０は、両端に位置するマットレス片１１０ａとマットレス片１１０ｆとを分離可能に連結するものである。マットレス１００を使用する際、使用者は、端部連結部１３０によって、マットレス片１１０ａとマットレス片１１０ｆとを連結し、マットレス１００を輪状にした上で使用することになる。本実施形態においては、端部連結部１３０は、一対の面ファスナー１３１，１３２を備えており、一方の面ファスナー１３１は、マットレス片１１０ａの裏面（図１（ｂ）における上面）の端部（同図における左端部）に取り付けられており、他方の面ファスナー１３２は、マットレス片１１０ｆの端部（同図における右端部）の裏面側（同図（ｂ）における上面側）に連結された連結部材１３３の底面（同図（ｂ）における下面）に取り付けられている。
【００２６】
一対の面ファスナー１３１，１３２は、対向する面同士を着脱自在に貼り付けることができるものであって、例えば、一対の面ファスナー１３１，１３２の対向する面には、微小なフック及びループが多数形成されており、両者を押し付けると、微小なフックが微小なループに係合して、両者が貼り付けられることになる。また、両者を一定以上の力で引き離すと、微小なフックと微小なループの係合がはずれて、両者が剥がされることになる。
【００２７】
連結部材１３３は、帯状の部材であって、マットレス片１１０ｆの端部（図１における右端部）の裏面側（同図（ｂ）における上面側）から、外側（同図における右側）に張り出した位置に、面ファスナー１３２を保持するためのものである。連結部材１３３は、マットレス１００を輪状にするためにマットレス片１１０ａとマットレス片１１０ｆとを隣接させた際、マットレス片１１０ａの裏面の端部に取り付けられた面ファスナー１３１と対向する位置に、面ファスナー１３２を配置することになる。また、連結部材１３３は、マットレス片１１０ｆの端部の裏面側に、裏面側に折り畳み可能に連結されており、マットレス片１１０ｆとマットレス片１１０ａとは、一対の面ファスナー１３１，１３２で連結された状態においては、裏面同士が当接するように折り畳むことはできるが、表面側には折り曲げることができないようになっている。連結部材１３３は、例えば、マットレス片１１０ｆの芯材を収容するカバーと一体的に（カバーの一部として）形成される。
【００２８】
次に、上述したような構成を有するマットレス１００の使用方法について説明する。
【００２９】
上述したような構成を有するマットレス１００は、使用される際は、両端部が連結されて輪状にされた上で、マットレス片１１０を上下方向２段に重ねた状態で使用される。
【００３０】
図３は、マットレス１００を使用時の状態にするため、マットレス１００の一部を折り畳んだ状態の一例を示す図である。
【００３１】
同図に示した例においては、図１に示した状態から、マットレス片１１０ｄとマットレス片１１０ｅとを連結する連結部１２０ｄにおいて、マットレス１１０の一部（同図における右側部分）を折り畳むことによって、マットレス片１１０ｆ及びマットレス片１１０ｅをそれぞれ、マットレス片１１０ｃ及びマットレス片１１０ｄの上に重ねた状態を示している。
【００３２】
図３に示した状態においては、マットレス片１１０ｆ及び１１０ｅについては、表面が上方を向き、マットレス片１１０ｆの裏面側に連結された連結部材１３３に取り付けられた面ファスナー１３２についても上方を向くことになる。
【００３３】
図３に示した状態から、マットレス片１１０ａとマットレス片１１０ｂとを連結する連結部１２０ａにおいてマットレス１００の一部（同図における左側部分）折り畳むと、マットレス片１１０ａが、マットレス片１１０ｂの上に重ねられる共に、一対の面ファスナー１３１，１３２が対向して当接することになる。その結果、一対の面ファスナー１３１，１３２が貼り付けられて、すべてのマットレス片１１０ａ〜１１０ｆが輪状に連結されて、マットレス１００が、使用時の状態になることになる。
【００３４】
図４は、マットレス１００の使用時の状態を説明するための斜視図である。
【００３５】
同図に示すように、マットレス１００では、使用時においては、端部連結部１３０によって、マットレス片１１０ａとマットレス片１１０ｆとを連結させて、６個のマットレス片１１０ａ〜１１０ｆを輪状にした上で、マットレス片１１０ａ〜１１０ｆを上下に２段に重ねるように配置した状態で使用される。すなわち、同図に示した状態においては、マットレス片１１０ｂの上にマットレス片１１０ａが配置され、マットレス片１１０ｃの上にマットレス片１１０ｆが配置され、マットレス片１１０ｄの上にマットレス片１１０ｅが配置されている。
【００３６】
図４に示した状態において、使用者がマットレス１００の上に寝ると、例えば、使用者の腰周辺が載る中央部のマットレス片１１０ｆ（及びマットレス片１１０ｃ）が、他のマットレス片に比べて、大きく凹むことになる。このような状態で、マットレス１００の使用を継続すると、中央部のマットレス片１１０ｆ（及びマットレス片１１０ｃ）の傷み（へたり）が他のマットレス片に比べて激しくなる。そこで、マットレス１００においては、定期的に（例えば、数日に一回）、マットレス１００を回転させ、使用者の腰周辺が載る中央部のマットレス片１１０をずらす操作（ずらし操作）を行うことによって、特定のマットレス片１１０の傷みが、他のマットレス片１１０に比べて大きくなることを防止する。
【００３７】
図５は、マットレス１００のずらし操作を説明するための図である。
【００３８】
同図に示すように、同図（ａ）に示した状態から、マットレス１００を回転させると、例えば、同図（ｂ）〜（ｄ）に示した状態を介して、同図（ｅ）に示した状態に至ることで、中央部に位置するマットレス片１１０がずれることになる。すなわち、同図（ａ）に示した状態においては、マットレス片１１０ｆ（及びマットレス片１１０ｃ）が中央部に位置しているが、同図（ｅ）に示したずらし操作後の状態においては、各マットレス片１１０の位置が一つずつずれて、マットレス片１１０ａ（及びマットレス片１１０ｄ）が中央部に位置するようになっている。
【００３９】
同図に示したようなずらし操作を定期的に繰り返すことで、６つのマットレス片１１０ａ〜１１０ｆの傷みが均等になるようにすることができ、その結果、ずらし操作を行わない場合と比較して、マットレス１００を長持ちさせることが可能となる。
【００４０】
マットレス１００が輪状に連結された状態を維持したまま、上記ずらし操作をできるようにするためには、マットレス片１１０ａ〜１１０ｆを輪状に連結する際、マットレス片１１０の表面と裏面の向きに注意して、マットレス片１１０の表面が外側を向き、裏面が内側を向くように連結する必要がある。マットレス片１１０の表面が外側を向き、裏面が内側を向くように連結することにより、マットレス１００の両端部を連結する面ファスナー１３１，１３２が裏面側に配置されることになり、面ファスナー１３１，１３２で連結された部分（より具体的には、マットレス片１１０ｆと連結部材１３３との連結部分）において、裏面側に折り曲げること、すなわち、外側に向かって山折りすることが可能となり、マットレス１００を回転させることが可能となる。
【００４１】
なお、マットレス片１１０ａ〜１１０ｆを輪状に連結する際にマットレス片１１０ａ〜１１０ｆの表面と裏面との区別が容易になるよう、例えば、表面と裏面とで、色を変えたり、カバーの材料を変えたりするようにすることが考えられる。また、その際、裏面を滑りにくい材料（例えば、シリコンゴム）で構成することで、使用時において、上下に重ねられたマットレス片１１０が互いにずれるのを防止することも可能となる。
【００４２】
次に、マットレス１００の折り畳み方法について説明する。
【００４３】
マットレス１００においては、使用時の状態から、端部連結部１３０による連結状態を解除することにより、押し入れ等に収容等するために、コンパクトに折り畳むことが可能となっている。なお、マットレス１００においては、前述したように、連結部１２０によって連結される隣接するマットレス片１１０は、表面側にも裏面側にも折り畳めるようになっていることから、２通りの折り畳み方が存在することになる。
【００４４】
図６及び図７は、マットレス１００の折り畳み方を説明するための図である。図６は、第一の折り畳みを示し、図７は第二の折り畳め方を示している。なお、図６及び図７では、説明の便宜上、すべてのマットレス片１１０ａ〜１１０ｆが平板状に並べられた状態から畳み始めるようにしているが、当然のことながら、実際の場合に、折り畳み始める前に、マットレス１００を図６（ａ）及び図７（ａ）に示した状態にする必要はない。
【００４５】
図６に示すように、第一の折り畳み方をする場合は、まず、同図（ａ）に示した状態から、同図（ｂ）に示すように、両端に位置するマットレス片１１０ａ及び１１０ｆを裏面側（同図における上面側）に折り畳む。次に、同図（ｂ）に示した状態から、同図（ｃ）に示すように、マットレス片１１０ｂ及び１１０ｅを表面側（同図における下面側）に折り畳む。最後に、同図（ｃ）に示した状態から、同図（ｄ）に示すように、マットレス片１１０ｃを裏面側（同図における上面側）に折り畳むことで、マットレス１００の折り畳みが完了する。
【００４６】
一方、図７に示すように、第二の折り畳み方をする場合は、まず、同図（ａ）に示した状態から、同図（ｂ）に示すように、両端に位置するマットレス片１１０ａ及び１１０ｆを、第一の折り畳み方とは逆に表面側（同図における下面側）に折り畳む。次に、同図（ｂ）に示した状態から、同図（ｃ）に示すように、マットレス片１１０ｂ及び１１０ｅを、第一の折り畳み方とは逆に裏面側（同図における上面側）に折り畳む。最後に、同図（ｃ）に示した状態から、同図（ｄ）に示すように、マットレス片１１０ｄを表面側（同図における下面側）に折り畳むことで、マットレス１００の折り畳みが完了する。
【００４７】
図８は、マットレス１００の折り畳みが完了した状態を示す図である。同図（ａ）は、第一の折り畳み方で折り畳んだマットレス１００を示し、同図（ｂ）は、第二の折り畳み方で折り畳んだマットレス１００を示している。同図に示すように、いずれの折り畳み方でも、コンパクトに折り畳まれており、押し入れ等への収納が容易に行えるようになっている。
【００４８】
マットレス１００においては、隣接するマットレス片１１０は、表面側にも裏面側にも折り畳むことができるようになっているので、折り畳み方向を気にせずに折り畳むことが可能となり、折り畳む際の作業性が向上する。
【００４９】
《第二実施形態》
次に、本発明の別の実施形態について説明する。以下では、主として、上述した第一実施形態と違う部分について説明する。
【００５０】
図９は、本発明による別のマットレスの構成を説明するための図である。同図（ａ）は平面図を示し、同図（ｂ）は、正面図を示す。
【００５１】
同図に示すように、本発明による別のマットレス２００は、帯状に並べられた複数（本実施形態では、６個）のマットレス片２１０（２１０ａ〜２１０ｆ）と、隣接するマットレス片を連結する複数（本実施形態では、５個）の連結部２２０（２２０ａ〜２２０ｅ）とを備える。マットレス２００は、更に、両端に位置するマットレス片２１０ａとマットレス片２１０ｆとを分離可能に連結するための端部連結部２３０を備える。
【００５２】
マットレス片２１０及び端部連結部２３０についてはそれぞれ、前述した第一実施形態のマットレス片１１０及び端部連結部１３０と同様の構成を有するものであるので、詳細な説明は省略する。
【００５３】
連結部２２０は、隣接するマットレス片２１０を連結するものである。すなわち、連結部２２０ａは、マットレス片２１０ａとマットレス片２１０ｂとを連結し、連結部２２０ｂは、マットレス片２１０ｂとマットレス片２１０ｃとを連結し、連結部２２０ｃは、マットレス片２１０ｃとマットレス片２１０ｄとを連結し、連結部２２０ｄは、マットレス片２１０ｄとマットレス片２１０ｅとを連結し、連結部２２０ｅは、マットレス片２１０ｅとマットレス片２１０ｆとを連結する。
【００５４】
連結部２２０は、隣接するマットレス片１１０を連結する態様として２つのタイプのものが存在する。このうち、第１のタイプに属する連結部２２０ｂ及び連結部２２０ｄについてはそれぞれ、３つの連結片２２１，２２２，２２３で構成されており、前述した第一実施形態の連結部１２０ｂ及び連結部１２０ｄと同様の構成を有するものであるので、詳細な説明は省略する。
【００５５】
一方、第２のタイプに属する連結部２２０ａ、２２０ｃ及び２２０ｅは、細長い帯状の部材（領域）であって、隣接するマットレス片２１０を、裏面側（図９（ｂ）における上面側）で連結するものである。連結部２２０ａ、２２０ｃ及び２２０ｅは、例えば、マットレス片２１０の芯材を収容するカバーと一体的に（カバーの一部として）形成される。連結部２２０ａ、２２０ｃ及び２２０ｅはそれぞれ、一方のマットレス片２１０に対して、他方のマットレス片２１０を１８０°回転させることができるように、隣接するマットレス片２１０を連結する。すなわち、隣接するマットレス片２１０の裏面（同図（ｂ）における上面）同士が当接するように折り畳むことはできるが、隣接するマットレス片２１０の表面側（同図（ｂ）における下面側）には折り曲げることができないようになっている。
【００５６】
上述したような構成を有するマットレス２００においても、第一実施形態におけるマットレス１００と同様に、使用される際は、両端部が端部連結部２３０によって連結されて輪状にされた上で、マットレス片２１０を上下方向２段に重ねた状態で使用される。
【００５７】
マットレス２００においても、輪状に連結された場合、隣接するマットレス片２１０はすべて、裏面側（内面側）へ折り畳むことができる、すなわち、外側に向かって山折りに折り畳むことができるように連結されているので、マットレス１００と同様に、ずらし操作が行える。
【００５８】
そして、マットレス２００においては、第２のタイプの連結部２２０ａ、２２０ｃ及び２２０ｅが、一方の面側、すなわち、裏面側にしか折り曲げられないので、輪状に連結する際、マットレス片２１０の表面と裏面の向きに注意しなくても、自然に、表面が外側を向き、裏面が内側を向くように連結されることになる。
【００５９】
一方、マットレス２００においては、第２のタイプの連結部２２０ａ、２２０ｃ及び２２０ｅが、一方の面側にしか折り曲げられないことから、端部連結部２３０による連結を解除して、マットレス２００を折り畳む際は、１通りの折り畳み方しか存在しないことになる。すなわち、第２のタイプの連結部２２０ａ、２２０ｃ及び２２０ｅが、裏面側（図９（ｂ）の上面側）にしか折り畳めないので、図７に示した第二の折り畳み方では折り畳むことはできず、図６に示した第一の折り畳み方で折り畳まれることになる。
【００６０】
以上説明したように、上述した実施形態では、偶数個（具体的には、６個）のマットレス片１１０，２１０を輪状に連結した上で、マットレス１００，２００を使用するようにしており、輪状に連結されたマットレス１００，２００を周方向に回転させることで、マットレス片１１０，２１０の位置を容易に変更することができるようになっている。したがって、定期的にマットレス片１１０，２１０の位置をずらすことで、例えば、より多くの体重がかかる腰周辺の載るマットレス片１１０，２１０を定期的に変えることができ、マットレス１００，２００の一部分が他の部分に比べて、早く傷むといった事態を防止することができ、マットレス１００，２００を長持ちさせることが可能となる。
【００６１】
また、上述した実施形態では、マットレス１００，２００を輪状する際、帯状に配置されたマットレス１００，２００の端部を分離可能に連結するようにすると共に、隣接するマットレス片１１０，２１０を連結する複数の連結部１２０，２２０のうち少なくとも、一方の端部（例えば、図１及び図９の左端部）から数えて偶数番目（例えば、２番目）のマットレス片１１０，２１０と、奇数番目（例えば、３番目）のマットレス片１１０，２１０とを連結する連結部（具体的には、２番目のマットレス片１１０ｂ，２１０ｂと３番目のマットレス片１１０ｃ，２１０ｃとを連結する連結部１２０ｂ，２２０ｂ及び４番目のマットレス片１１０ｄ，２１０ｄと５番目のマットレス片１１０ｅ，２１０ｅとを連結する連結部１２０ｄ，２２０ｄ）を表面及び裏面の両側方向に折り畳めるように構成しているので、マットレス１００，２００をコンパクトに折り畳むことが可能となっている。
【００６２】
以上、本発明の実施形態について説明してきたが、当然のことながら、本発明の実施形態は上記のものに限られない。例えば、上述した実施形態においては、端部を一対の面ファスナーによって分離可能に連結するようにしていたが、他の方法によって、端部を分離可能に連結するようにすることも考えられる。
【００６３】
図１０は、端部連結部の別の実施形態を説明するための図である。同図（ａ）に示すように、本実施形態においては、両端に位置するマットレス片３１０ａ，３１０ｆの両側面にはそれぞれ、一対の紐３３１，３３２の一端が取り付られており（但し、同図では、一方の側面３１２ａ，３１２ｆに取り付けられた一対の紐３３１，３３２のみが示されている）、同図（ｂ）に示すように、一対の紐３３１，３３２の他端同士を結ぶことで、端部を分離可能に連結することができるようになっている。なお、同図に示すように、一対の紐３３１，３３２の一端は、連結状態を維持したまま、ずらし操作が行えるように、端部に位置するマットレス片３１０ａ，３１０ｆの側面３１２ａ，３１２ｆの裏面側（同図における下面側）近くに取り付けられている。
【００６４】
また、端部を連結する端部連結部をまったく設けないような構成も考えられる。
【符号の説明】
【００６５】
１００    マットレス
１１０ａ〜１１０ｆ，１１０ｍ，１１０ｎ    マットレス片
１１１ｍ，１１１ｎ    面
１２０ａ〜１２０ｅ    連結部
１２１，１２２，１２３    連結片
１３０    端部連結部
１３１，１３２    面ファスナー
１３３    連結部材
２００    マットレス
２１０ａ〜２１０ｆ    マットレス片
２２０ａ〜２２０ｅ    連結部
２３０    端部連結部
２３１，２３２    面ファスナー
２３３    連結部材
３１０ａ，３１０ｆ    マットレス片
３１２ａ，３１２ｆ    側面
３３１，３３２    紐
【図１】
2013000405.tif 000003
【図２】
2013000405.tif 000004
【図３】
2013000405.tif 000005
【図４】
2013000405.tif 000006
【図５】
2013000405.tif 000007
【図６】
2013000405.tif 000008
【図７】
2013000405.tif 000009
【図８】
2013000405.tif 000010
【図９】
2013000405.tif 000011
【図１０】
2013000405.tif 000012
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
偶数個のマットレス片と、
隣接するマットレス片を、裏面側に折り畳めるように連結する複数の連結部と
を備え、
前記複数の連結部のうち、一方の端部から数えて奇数番目のマットレス片と、偶数番目のマットレス片とを連結する連結部は、裏面側にのみ折り畳めるように構成されており、
一方の端部から数えて偶数番目のマットレス片と、奇数番目のマットレス片とを連結する連結部は、表面及び裏面の両側方向に折り畳めるように構成されており、
前記偶数個のマットレス片の半分の上に、残りの半分が重ねられた状態で使用される
ことを特徴とするマットレス。
【請求項２】
前記偶数個のマットレス片を輪状に連結するための端部連結部を更に備える
ことを特徴とする請求項１に記載のマットレス。
【請求項３】
偶数個のマットレス片と、
隣接するマットレス片を、裏面側に折り畳めるように連結する複数の連結部と、
前記偶数個のマットレス片を輪状に連結するための端部連結部と
を備え、
前記複数の連結部のうち、一方の端部から数えて奇数番目のマットレス片と、偶数番目のマットレス片とを連結する連結部は、裏面側にのみ折り畳めるように構成されており、
一方の端部から数えて偶数番目のマットレス片と、奇数番目のマットレス片とを連結する連結部は、表面及び裏面の両側方向に折り畳めるように構成されている
ことを特徴とするマットレス。
【請求項４】
前記端部連結部は、一対の面ファスナーで構成される
ことを特徴とする請求項２又は３に記載のマットレス。
【請求項５】
前記一対の面ファスナーは、端部に配置された前記マットレス片の裏面側に配置されている
ことを特徴とする請求項４に記載のマットレス。
【請求項６】
前記端部連結部は、一対の紐で構成される
ことを特徴とする請求項２又は３に記載のマットレス。
【請求項７】
６個のマットレス片で構成されていることを特徴とする請求項１〜６のいずれか一項に記載のマットレス。